(57)【要約】【課題】  クライント端末での人の操作を軽減して運転データの検索要求が行えるようにした運転履歴データ管理装置を得る。【解決手段】  運転履歴データ管理装置１は、発電プラント２から収集した運転データを運転履歴データベース５に保存し、クライアント端末１２の検索予約表示部１６により生成され、検索予約要求部２５から送信され、保存している検索予約管理情報２０に応じて、運転履歴データベース５を検索し、その検索結果を検索結果保存データベース１９に保存しておき、クライアント端末１２がデータ受信可能な状態のときに、検索結果保存データベース１９に保存された検索結果をクライアント端末１２に送信し、クライアント端末１２のデータ表示部１５でこれを表示するようにした。【選択図】図２
2005309486.tif 000002
【特許請求の範囲】
【請求項１】
プラントの運転データを蓄積した運転履歴データベース、クライアント端末により生成され、検索要求事項及び検索日時が指定された検索予約情報を格納した検索予約管理情報部、この検索予約管理情報部に格納された上記検索予約情報の検索実行日時が来たとき検索実行を指示するタイマー処理部、このタイマー処理部により検索実行を指示され、上記検索予約情報の検索要求事項に基づき上記運転履歴データベースを検索するデータ検索処理部、このデータ検索処理部による検索結果を保存する検索結果保存データベース、及びこの検索結果保存データベースに保存された上記検索結果をネットワークを介して上記クライアント端末に送信する検索予約返信部を備えたことを特徴とする運転履歴データ管理装置。
【請求項２】
上記検索予約返信部により上記クライアント端末に送信される検索結果を圧縮するデータ圧縮処理部を備えたことを特徴とする請求項１記載の運転履歴データ管理装置。
【請求項３】
上記検索予約返信部により上記クライアント端末に送信される検索結果を暗号化するデータ暗号化処理部を備えたことを特徴とする請求項１記載の運転履歴データ管理装置。
【請求項４】
上記検索予約返信部は、上記クライアント端末が起動状態のとき上記検索結果を送信することを特徴とする請求項１〜請求項３のいずれかに記載の運転履歴データ管理装置。
【請求項５】
プラントの運転データを蓄積した運転履歴データ管理装置、及びこの運転履歴データ管理装置にネットワークを介して接続され、上記運転履歴データ管理装置に運転データの検索要求を行い、検索結果を受信して表示するクライアント端末を備え、
上記運転履歴データ管理装置は、プラントの運転データを蓄積した運転履歴データベースと、上記クライアント端末から上記ネットワークを介して送信された検索要求に基づき上記運転履歴データベースを検索するデータ検索処理部と、このデータ検索処理部による検索結果を上記ネットワークを介して上記クライアント端末に送信するデータ検索要求返信部とにより構成され、
上記クライアント端末は、検索要求事項及び検索日時が指定された検索予約情報を作成する検索予約表示部と、この検索予約表示部により作成された検索予約情報を保存する検索予約管理情報部と、この検索予約管理情報部に保存された検索予約情報の検索予約日時が来たとき検索実行を指示するタイマー処理部と、このタイマー処理部の指示により上記検索予約情報に基づく検索要求を上記ネットワークを介して上記運転履歴データ管理装置に行うデータ検索要求部と、このデータ検索要求部による検索要求により運転履歴データ管理装置から受信した検索結果を表示するデータ表示部とにより構成されていることを特徴とする運転履歴データ管理システム。
【発明の詳細な説明】
【技術分野】
【０００１】
この発明は、例えば火力発電、水力発電などのプラントの運転データを管理し、要求に応じて検索する運転履歴データ管理装置及び運転履歴データ管理システムに関するものである。
【背景技術】
【０００２】
従来の発電プラントの運転履歴データ管理装置は、発電プラントからの運転データをある周期に基づき（例えば５秒や１分など）、長期間保存（例えば１０年間など）するとともに、クライアント端末からの様々な検索要求（例えば、データ種類、検索期間、検索周期、検索条件などを指定して検索）に応答して、要求に合致した運転データだけをクライアント端末に返信している。
クライント端末は、運転データを一覧表示やトレンドグラフ、散布図などに加工して表示する。運転履歴データ管理装置は、複数のクライアント端末からの様々な要求に応答可能なように全ての運転データを長期間保存しているが、クライアント端末にて、人が検索要求操作を行ってから、検索を開始し、運転データをクライント端末に返信している。（例えば、特許文献１参照）
【０００３】
【特許文献１】特開平８−３３５１１０号公報（段落番号００６４〜０１２３、図１）
【発明の開示】
【発明が解決しようとする課題】
【０００４】
従来の発電プラントの運転履歴データ管理装置は、以上のように構成されているので、運転データを見たい場合は、クライアント端末で人が画面を見ながら検索要求操作を行う必要がある。複雑な検索条件で大量のデータを検索し、表示する場合などは、検索時間が長くなり、待ち時間が発生する。また、同じ種類の検索要求を毎日行う場合など、定型的な処理にも人が検索要求操作を行う必要がある。このように、利便性が悪いという問題があった。
また、クライント端末が電源を入れたままでないと検索要求が行えないという問題もあった。
また、クライアント端末が広域ＷＡＮ等に接続され、様々場所から多人数で用いる場合に、通信量が増えると通信費用を増大させる問題があった。
また、クライアント端末がインターネットや公衆回線で、運転履歴データ管理装置とネットワーク接続されているような場合に、盗聴や盗み見、改ざんが行われる危険があるという問題があった。
【０００５】
この発明は、上述のような課題を解決するためになされたものであり、クライント端末での人の操作を軽減してプラントの運転データの検索要求が行えるようにした運転履歴データ管理装置を得ることを第一の目的とする。
また、クライント端末での人の操作を軽減してプラントの運転データの検索要求が行えるようにし、これに応じて運転履歴データ管理装置で検索を行うようにした運転履歴データ管理システムを得ることを第二の目的とする。
【課題を解決するための手段】
【０００６】
この発明に係わる運転履歴データ管理装置においては、プラントの運転データを蓄積した運転履歴データベース、クライアント端末により生成され、検索要求事項及び検索日時が指定された検索予約情報を格納した検索予約管理情報部、この検索予約管理情報部に格納された検索予約情報の検索実行日時が来たとき検索実行を指示するタイマー処理部、このタイマー処理部により検索実行を指示され、検索予約情報の検索要求事項に基づき運転履歴データベースを検索するデータ検索処理部、このデータ検索処理部による検索結果を保存する検索結果保存データベース、及びこの検索結果保存データベースに保存された検索結果をネットワークを介してクライアント端末に送信する検索予約返信部を備えたものである。
また、この発明に係わる運転履歴データ管理システムにおいては、プラントの運転データを蓄積した運転履歴データ管理装置、及びこの運転履歴データ管理装置にネットワークを介して接続され、運転履歴データ管理装置に運転データの検索要求を行い、検索結果を受信して表示するクライアント端末を備え、
運転履歴データ管理装置は、プラントの運転データを蓄積した運転履歴データベースと、クライアント端末からネットワークを介して送信された検索要求に基づき運転履歴データベースを検索するデータ検索処理部と、このデータ検索処理部による検索結果をネットワークを介してクライアント端末に送信するデータ検索要求返信部とにより構成され、
クライアント端末は、検索要求事項及び検索日時が指定された検索予約情報を作成する検索予約表示部と、この検索予約表示部により作成された検索予約情報を保存する検索予約管理情報部と、この検索予約管理情報部に保存された検索予約情報の検索予約日時が来たとき検索実行を指示するタイマー処理部と、このタイマー処理部の指示により検索予約情報に基づく検索要求をネットワークを介して運転履歴データ管理装置に行うデータ検索要求部と、このデータ検索要求部による検索要求により運転履歴データ管理装置から受信した検索結果を表示するデータ表示部とにより構成されているものである。
【発明の効果】
【０００７】
この発明は、以上説明したように、プラントの運転データを蓄積した運転履歴データベース、クライアント端末により生成され、検索要求事項及び検索日時が指定された検索予約情報を格納した検索予約管理情報部、この検索予約管理情報部に格納された検索予約情報の検索実行日時が来たとき検索実行を指示するタイマー処理部、このタイマー処理部により検索実行を指示され、検索予約情報の検索要求事項に基づき運転履歴データベースを検索するデータ検索処理部、このデータ検索処理部による検索結果を保存する検索結果保存データベース、及びこの検索結果保存データベースに保存された検索結果をネットワークを介してクライアント端末に送信する検索予約返信部を備えたので、クライアント端末で検索予約を作成しておけば、運転履歴データ管理装置で予約どおりに検索が行われ、検索結果を運転履歴データ管理装置から受信することができる。
また、プラントの運転データを蓄積した運転履歴データ管理装置、及びこの運転履歴データ管理装置にネットワークを介して接続され、運転履歴データ管理装置に運転データの検索要求を行い、検索結果を受信して表示するクライアント端末を備え、
運転履歴データ管理装置は、プラントの運転データを蓄積した運転履歴データベースと、クライアント端末からネットワークを介して送信された検索要求に基づき運転履歴データベースを検索するデータ検索処理部と、このデータ検索処理部による検索結果をネットワークを介してクライアント端末に送信するデータ検索要求返信部とにより構成され、
クライアント端末は、検索要求事項及び検索日時が指定された検索予約情報を作成する検索予約表示部と、この検索予約表示部により作成された検索予約情報を保存する検索予約管理情報部と、この検索予約管理情報部に保存された検索予約情報の検索予約日時が来たとき検索実行を指示するタイマー処理部と、このタイマー処理部の指示により検索予約情報に基づく検索要求をネットワークを介して運転履歴データ管理装置に行うデータ検索要求部と、このデータ検索要求部による検索要求により運転履歴データ管理装置から受信した検索結果を表示するデータ表示部とにより構成されているので、クライアント端末で検索予約が行え、この検索予約に基づき運転履歴データ管理装置のデータベースを検索し、検索結果をクライアント端末が受信して表示することができ、ユーザの利便性が向上する。
【発明を実施するための最良の形態】
【０００８】
実施の形態１．
図１は、この発明の実施の形態１による発電プラントに適用した場合の運転履歴データ管理装置の構成を示すブロック図である。
図１において、運転履歴データ管理装置１は、発電プラントから運転データを収集し、蓄積しておき、ネットワーク１１を介してクライアント端末１２からの検索要求に応じて検索を行い、クライアント端末１２に検索結果を送信する。
【０００９】
運転履歴データ管理装置１は、次のように構成されている。
運転データ収集部３は、発電プラント２から運転データを収集し、これを運転データ編集／保存部４により、収集時刻順からデータ番号順に編集して、運転履歴データベース５に保存する。この運転履歴データベース５は、当日運転履歴データベース６、前日運転履歴データベース７、Ｎ日前運転履歴データベース８を有している。データ検索／編集処理部９（データ検索処理部）は、データ検索要求受信／返信部１０により受け付けられたクライアント端末１２から検索要求により、運転履歴データベースの検索を行い、検索結果を編集して、データ検索要求受信／返信部１０（データ検索要求返信部）を介してクライアント端末１２に返信する。
【００１０】
クライアント端末１２は、次のように構成されている。
データ検索要求部１３は、運転履歴データ管理装置１のデータ検索要求受信／返信部１０に検索要求を行う。それに基づき、運転履歴データ管理装置１から返信された検索結果を検索結果保存部１４に保存し、データ表示部１５に表示する。
また、検索予約表示部１６は、検索要求事項及び検索日時を指定して検索予約を作成する。周期的に検索要求する場合は、その周期、またイベント発生時に検索要求する場合は、そのイベントの指定を行う。この検索予約表示部１６で生成された検索予約情報を検索予約管理情報１７（検索予約管理情報部）に保存する。この検索予約管理情報１７に保存された検索予約情報に基づき、タイマー実行処理部１８が、予約時間にデータ検索要求部１３に対して実行指令を行う。
【００１１】
次に、動作について説明する。
ユーザは、クライアント端末１２のデータ検索要求部１３により、運転履歴データ管理装置１のデータ検索要求受信／返信部１０に検索要求を行う。それに基づき、運転履歴データ管理装置１から返信された検索結果を検索結果保存部１４に保存し、データ表示部１５に表示することができる。これに加えて、ユーザは、実施の形態１では、次のように検索予約を行うことができる。
ユーザは、クライアント端末１２の検索予約表示部１６で、検索要求（例えば、データ種類、検索期間、検索周期、検索条件などを指定して検索）事項の指定と、検索を実行させたい未来の日時を指定、または、定期的に実行させたい場合は周期を指定、もしくは、あるイベント発生時に検索要求を行いたい場合はイベントの指定を行い、検索予約情報を作成する。
作成された複数の検索予約情報は、検索予約管理情報１７に保存される。この検索予約管理情報１７をもとに、タイマー実行処理部１８が予約時間になると、データ検索要求部１３に対して実行指令を行う。データ検索要求部１３は、運転履歴データ管理装置１に対して検索要求を行い、受信した運転データを検索結果保存部１４に保存する。
【００１２】
運転履歴データ管理装置１は、このクライアント端末１２からの検索要求を、データ検索要求受信／返信部１０により受信し、データ検索・編集処理部９により、検索要求に含まれる検索要求事項に基づき、運転履歴データベースを検索して、その検索結果をデータ検索要求受信／返信部１０により、クライアント端末１２のデータ検索要求部１３にネットワーク１１を介して送信する。
【００１３】
クライアント端末１２で、検索結果をユーザが見たい場合は、データ表示部１５により、検索結果保存部１４に保存されている運転データをもとに、トレンドグラフやデータ一覧、散布図などに加工して表示する。
なお、クライアント端末１２は、データ表示部１５からも検索要求が行え、データ表示が可能になっている。これにより、ユーザは、クライアント端末１２のデータ表示部１５での検索要求を行うだけでなく、検索予約表示部１６により事前に検索の予約設定することができ、利便性を向上することができる。
【００１４】
実施の形態１によれば、クライアント端末で検索予約できるようにしたので、運転履歴データ管理装置のデータベースを検索し、検索結果をクライアント端末が受信して表示することができ、ユーザの利便性が向上する。
【００１５】
実施の形態２．
図２は、この発明の実施の形態２による発電プラントに適用した場合の運転履歴データ管理装置の構成を示すブロック図である。
図２において、１〜１６は図１におけるものと同一のものである。運転履歴データ管理装置１は、検索結果保存データベース１９及びタイマー処理部２３並びに検索予約受信／返信部２４（検索予約返信部）を持ち、検索結果保存データベース１９は、各クライアント端末１２の検索予約情報を収集した検索予約管理情報２０（検索予約管理情報部）と、保存エリア１（２１）〜保存エリアＮ（２２）を有している。クライアント端末１２は、検索予約表示部１６で設定した情報に基づき検索予約要求を行う検索予約要求部２５を有している。クライアント端末１２の検索結果保存部１４は、運転履歴データ管理装置１からデータ受信するように構成されている。
【００１６】
実施の形態１では、クライアント端末１２が検索予約管理情報１７を保存し、クライアント端末１２で、タイマー実行していたが、実施の形態２は、図２のように、運転履歴データ管理装置１で、各クライアント端末１２からの検索予約管理情報２０を一括して持ち、タイマー処理部２３によりタイマー実行するようにしたものである。
クライアント端末１２の検索予約表示部１６で、設定した情報は、検索予約要求部２５にて運転履歴データ管理装置１に送信され、運転履歴データ管理装置１の検索予約管理情報２０にクライアント番号を付けて保存される。タイマー処理部２３は、検索予約管理情報２０をもとにデータ検索・編集処理部９に対して検索指示を行う。
【００１７】
検索結果データは、検索結果保存データベース１９の保存エリア１〜Ｎの空きエリアに保存され、保存したエリア情報を検索予約管理情報２０に記録する。検索予約受信／返信部２４が、クライアント端末１２の起動状態を確認し、クライアント端末１２がデータ受信できる状態であれば、クライアント端末１２の検索結果保存部１４にデータを送信する。
検索結果をユーザが見たい場合には、データ表示部１５により、検索結果保存部１４に保存されているデータをもとにトレンドグラフやデータ一覧、散布図などに加工して表示する。
したがって、クライアント端末１２は、検索の予約さえしておけば、電源を切った状態で終了することができる。例えば帰宅時に電源を切り、朝、電源を入れるときにデータ受信が自動で行われる。
【００１８】
実施の形態２によれば、運転履歴データ管理装置で検索結果を保存するので、クライアント端末は、検索予約の後、電源を切っても、次に電源を入れたとき、運転データを運転履歴データ管理装置から受信することができる。
【００１９】
実施の形態３．
図３は、この発明の実施の形態３による発電プラントに適用した場合の運転履歴データ管理装置の構成を示すブロック図である。
図３において、１〜１３、１５、１６、１９〜２５は図２におけるものと、１４は図１におけるものとそれぞれ同一のものである。運転履歴データ管理装置１には、データ圧縮処理部２６が設けられ、各クライアント端末１２には、データ受信解凍処理部２７が設けられている。
【００２０】
実施の形態２では、検索結果データを、データ検索・編集処理部９で運転履歴データベース５から読み出したデータのまま、クライアント端末１２に送信していたが、実施の形態３では、図３のように、データ圧縮処理部２６を設けて、データ圧縮後にクライアント端末１２にデータを送信し、クライアント端末１２では、データ受信解凍処理部２７により、受信したデータを解凍するようにした。
したがって、ネットワーク１１に流れるデータ量を少なくすることができる。プラントデータ量が多い場合で、ネットワーク性能への影響を少なくしたい場合に効果的である。
【００２１】
実施の形態３によれば、運転履歴データ管理装置からクライアント端末への運転データの送信を圧縮して行うので、ネットワークに流れるデータ量を少なくすることができる。
【００２２】
実施の形態４．
図４は、この発明の実施の形態４による発電プラントに適用した場合の運転履歴データ管理装置の構成を示すブロック図である。
図４において、１〜１６、１９〜２５は図３におけるものと同一のものである。運転履歴データ管理装置１には、データ暗号化処理部２８が設けられ、各クライアント端末１２には、データ復号化処理部２９が設けられている。
【００２３】
実施の形態２では、検索結果データを、データ検索・編集処理部９で運転履歴データベース５から読み出したデータのまま、クライアント端末１２に送信していたが、実施の形態４では、図４のように、データ暗号化処理部２８によるデータ暗号化後に、クライアント端末１２にデータを送信し、クライアント端末１２では、受信後にデータ復号化処理部２９による復号化処理を行うようにしたものである。
したがって、ネットワーク１１がインターネットや公衆回線でも、データの盗聴や盗み見、改ざんを防止することができる。データの信頼性を保ちながら、安価なネットワーク１１を使う場合に効果的である。
【００２４】
実施の形態４によれば、運転履歴データ管理装置からクライアント端末への運転データの送信を暗号化して行うので、ネットワークでの盗聴、盗み見あるいは改ざんを防止することができる。
【図面の簡単な説明】
【００２５】
【図１】この発明の実施の形態１による発電プラントに適用した場合の運転履歴データ管理装置の構成を示すブロック図である。
【図２】この発明の実施の形態２による発電プラントに適用した場合の運転履歴データ管理装置の構成を示すブロック図である。
【図３】この発明の実施の形態３による発電プラントに適用した場合の運転履歴データ管理装置の構成を示すブロック図である。
【図４】この発明の実施の形態４による発電プラントに適用した場合の運転履歴データ管理装置の構成を示すブロック図である。
【符号の説明】
【００２６】
１  運転履歴データ管理装置
２  発電プラント
３  運転データ収集部
４  運転データ編集／保存部
５  運転履歴データベース
６  当日運転履歴データベース
７  前日運転履歴データベース
８  Ｎ日前運転履歴データベース
９  データ検索・編集処理部
１０  データ検索要求受信／返信部
１１  ネットワーク
１２  クライアント端末
１３  データ検索要求部
１４  検索結果保存部
１５  データ表示部
１６  検索予約表示部
１７  検索予約管理情報
１８  タイマー処理部
１９  検索結果保存データベース
２０  検索予約管理情報
２１  保存エリア１
２２  保存エリアＮ
２３  タイマー処理部
２４  検索予約受信／返信部
２５  検索予約要求部
２６  データ圧縮処理部
２７  データ受信解凍処理部
２８  データ暗号化処理部
２９  データ復号化処理部
【図１】
2005309486.tif 000003
【図２】
2005309486.tif 000004
【図３】
2005309486.tif 000005
【図４】
2005309486.tif 000006